(57)【要約】【課題】本発明は、電子装置を提供することを目的とする。【解決手段】本発明の電子装置は、本体と、取付モジュールと、取付モジュールに着脱可能に装着される支持モジュールと、を備え、取付モジュールは、本体に固定される固定ラックと、固定ラックに固定される取付ラックと、取付ラックにスライド可能に装着される係合部材と、を備え、支持モジュールは、接続ラックを備え、固定ラックは、収容フレームを備え、接続ラックは、収容フレームに収容される収容部及び少なくとも１つの接続部を備え、接続部には、接続孔が設けられ、係合部材には、接続孔に係合することができる係合フックが設置されて、支持モジュールを取付モジュールに固定することができ、固定ラックに対して係合部材をスライドさせると、係合フックが接続ラックの接続部の接続孔から退出して、支持モジュールを取付モジュールから取り外す。【選択図】図１
2012221492.tif 000002
【特許請求の範囲】
【請求項１】
本体と、取付モジュールと、前記取付モジュールに着脱可能に装着される支持モジュールと、を備え、
前記取付モジュールは、前記本体に固定される固定ラックと、前記固定ラックに固定される取付ラックと、前記取付ラックにスライド可能に装着される係合部材と、を備え、
前記支持モジュールは、接続ラックを備え、
前記固定ラックは、収容フレームを備え、前記接続ラックは、前記収容フレームに収容される収容部及び少なくとも１つの接続部を備え、前記接続部には、接続孔が設けられ、前記係合部材には、前記接続孔に係合することができる係合フックが設置されて、前記支持モジュールを前記取付モジュールに固定することができ、
前記固定ラックに対して前記係合部材をスライドさせると、前記係合フックが前記接続ラックの接続部の接続孔から退出して、前記支持モジュールを前記取付モジュールから取り外すことを特徴とする電子装置。
【請求項２】
前記本体の背面には、前記固定ラックを収容する収容部が設けられ、前記収容フレームは下方に向かって延在して取付板を形成し、前記取付ラックは前記取付板に固定され、前記係合部材は上下方向に沿ってスライド可能に前記取付ラックに装着され、前記取付板には、前記係合部材の前記係合フックを貫通させる挿入孔が設けられ、前記接続ラックの収容部は下方に向かって延在して固定板を形成し、前記接続部は、前記固定板の片側から垂直に突出して形成されることを特徴とする請求項１に記載の電子装置。
【請求項３】
前記収容フレームは、底板と、前記底板の上下両側辺から垂直に延在してなる上側板及び下側板と、を備え、前記取付板は、前記下側板から下方に向かって垂直に延在して形成され、前記上側板には、２つの係合孔が設けられ、
前記接続ラックの収容部は、底壁と、前記底壁の上下両側辺から垂直に延在してなる上側壁及び下側壁と、を備え、前記固定板は、前記下側壁から下方に向かって垂直に延在して形成され、前記上側壁から上方に向かって前記収容フレームの２つの係合孔に係合することができる２つの係合部が突出して形成されることを特徴とする請求項２に記載の電子装置。
【請求項４】
前記取付板には、複数の固定孔が設けられ、前記取付ラックは、底板と、前記底板の両端から延在して形成される２つの側壁と、を備え、２つの前記側壁が外側に向かって延在してなる２つの折曲部には、複数の貫通孔が設けられ、複数の固定部材が前記取付ラックの２つの前記折曲部の複数の前記貫通孔を貫通して前記取付板の複数の固定孔に固定されることを特徴とする請求項２または３に記載の電子装置。
【請求項５】
前記固定ラックの取付板には、延在されて前記収容フレームの下方に位置する固定板が形成され、前記固定ラックの前記固定板には、貫通孔が設けられ、前記係合部材は、前記固定ラックの前記貫通孔を貫通することができる操作部を備えることを特徴とする請求項４に記載の電子装置。
【請求項６】
前記係合部材の前記係合フックは、Ｌ字状であり、前記係合部材の片側から延在して形成され、前記固定ラックの前記取付板と前記固定板との接続部には、前記係合部材の前記係合フックを貫通させる挿入孔が設けられることを特徴とする請求項５に記載の電子装置。
【請求項７】
前記係合部材の前記係合フックの底部には、前記接続ラックの接続部に当接するガイド面が形成されることを特徴とする請求項６に記載の電子装置。
【請求項８】
前記係合部材の頂部の両端には、それぞれ１つのホックが突出して形成され、前記取付ラックの前記底板には、２つの係合シートが突出して形成され、各々の前記係合シートには、貫通孔が設けられ、２つのスプリングの一端のグロメットは前記係合部材の前記ホックに掛け、２つの前記スプリングの他端のグロメットは前記取付ラックの前記係合シートの前記貫通孔を貫通することを特徴とする請求項６または７に記載の電子装置。
【請求項９】
前記取付ラックの底板には、短手方向に沿って延在する２つのガイド孔が設けられ、前記係合部材には、複数の固定孔が設けられ、複数の前記固定部材が前記取付ラックの２つのガイド孔を貫通して前記係合部材の前記固定孔に固定されて、前記係合部材は、前記取付ラックの前記底板に対してスライドすることができることを特徴とする請求項８に記載の電子装置。
【請求項１０】
前記支持モジュールは、前記接続ラックに枢着して前記本体を支持するために用いられる支持体をさらに備えることを特徴とする請求項１から９のいずれか一項に記載の電子装置。
【発明の詳細な説明】
【技術分野】
【０００１】
本発明は、電子装置に関するものである。
【背景技術】
【０００２】
オールインワンの設計思想を導入した一体型パソコン又は液晶表示装置のような電子装置のホルダーは、一般的にねじによって前記電子装置のハウジングに固定される。前記電子装置を壁に掛ける場合、道具によって前記ホルダーを前記ハウジングから取り外すことが必要とされるので、操作に不便である。
【発明の概要】
【発明が解決しようとする課題】
【０００３】
本発明の目的は、前記課題を解決し、容易に操作できる電子装置を提供することである。
【課題を解決するための手段】
【０００４】
本発明に係る電子装置は、本体と、取付モジュールと、前記取付モジュールに着脱可能に装着される支持モジュールと、を備え、前記取付モジュールは、前記本体に固定される固定ラックと、前記固定ラックに固定される取付ラックと、前記取付ラックにスライド可能に装着される係合部材と、を備え、前記支持モジュールは、接続ラックを備え、前記固定ラックは、収容フレームを備え、前記接続ラックは、前記収容フレームに収容される収容部及び少なくとも１つの接続部を備え、前記接続部には、接続孔が設けられ、前記係合部材には、前記接続孔に係合することができる係合フックが設置されて、前記支持モジュールを前記取付モジュールに固定することができ、前記固定ラックに対して前記係合部材をスライドさせると、前記係合フックが前記接続ラックの接続部の接続孔から退出して、前記支持モジュールを前記取付モジュールから取り外す。
【発明の効果】
【０００５】
従来の技術に比べて、本発明の電子装置は、スライドできる係合部材の係合フックが接続ラックの接続孔に係合して、支持モジュールを取付モジュールに固定する。前記支持モジュールを取り外す場合、前記係合部材を操作して、前記係合部材の係合フックが前記接続ラックの接続孔から退出するようにして、前記支持モジュールを迅速に取り外すことができ、道具を使用することがなく、操作に便利である。
【図面の簡単な説明】
【０００６】
【図１】本発明の実施形態に係る電子装置の分解斜視図である。
【図２】図１に示す電子装置の取付モジュールの分解図である。
【図３】図２に示す取付モジュールを別の視角から見た図である。
【図４】図２に示す取付モジュールの組立図である。
【図５】図１に示す電子装置の支持モジュールの分解図である。
【図６】図５に示す支持モジュールの組立図である。
【図７】本発明の実施形態に係る電子装置の取付過程を示す図である。
【図８】本発明の実施形態に係る電子装置の取付過程を示す図である。
【図９】本発明の実施形態に係る電子装置の取付過程を示す図である。
【図１０】本発明の実施形態に係る電子装置の取付過程を示す図である。
【発明を実施するための形態】
【０００７】
以下、図面を参照して、本発明の実施形態について説明する。
【０００８】
図１を参照すると、本発明の実施形態に係る電子装置は、本体４０と、取付モジュール１０と、支持モジュール２０と、を備える。前記取付モジュール１０は、前記本体４０内に収容され、前記支持モジュール２０は、前記取付モジュール１０に装着されて、前記本体４０を支持する。前記本体４０の背面には、収容部４２が設けられ、前記収容部４２の底壁には、４つのねじ孔４２２が設けられる。本実施形態において、前記電子装置は、一体型パソコンである。
【０００９】
図２及び図３を参照すると、前記取付モジュール１０は、固定ラック１２、係合部材１４、取付ラック１６、２つの弾性部材１７、４つの第一固定部材１８及び４つの第二固定部材１９を備える。以下の説明では、前記固定ラック１２のうち、前記本体４０に向けられた方向を「前」方向とし、また、その反対方向を「後」方向とし、さらに前後方向に直交する方向のうち、前記固定ラック１２の底板１２２２（図２を参照）の長手方向に沿う方向を「左右」方向とし、その左右方向及び前後方向にそれぞれ直交する方向を「上下」方向とする。
【００１０】
前記固定ラック１２は、１つの側面が開口した収容フレーム１２２を備える。前記収容フレーム１２２は、矩形の底板１２２２と、前記底板１２２２の上下両側辺から垂直に延在してなる上側板１２２３及び下側板１２２４と、を備える。前記底板１２２２の前記上側板１２２３に近い上部には、２つの固定孔１２２６が設けられる。前記上側板１２２３の後側辺から上方に向かって垂直に延在して上折曲部を形成する。前記上側板１２２３の前記上折曲部に近い箇所には、２つの係合孔１２２８が設けられる。前記下側板１２２４の後側辺から下方に向かって垂直に延在してなる取付板１２４には、取付板１２４の短手方向に沿って延在される２つの係合スロット１２４４及び２つの前記係合スロット１２４４の間に位置する４つの固定孔１２４６が設けられる。前記取付板１２４の下端から前方に向かって垂直に延在してなる固定板１２６と前記取付板１２４との接続部には、２つの挿入孔１２４２が設けられ、前記固定板１２６の前記取付板１２４に近い領域における２つの前記挿入孔１２４２の間には、貫通孔１２６２が設けられる。前記固定板１２６の前側辺から下方に向かって垂直に延在してなる下折曲部には、２つの固定孔１２６４が設けられる。
【００１１】
前記係合部材１４は、矩形のスライドパネル１４２を備える。前記スライドパネル１４２の前記固定ラック１２に対面する表面の上側辺の両端には、それぞれ１つのホック１４４が突出して形成され、前記スライドパネル１４２の前記固定ラック１２に対面する表面の下側辺の両端には、それぞれ下方に向かって突出するＬ字状の係合フック１４６が形成される。各々の前記係合フック１４６の底部には、ガイド面１４６８が斜めに形成される。前記スライドパネル１４２における２つの前記係合フック１４６の間には、操作部１４７が下方に向かって突出して形成される。前記スライドパネル１４２の前記固定ラック１２に対面する表面には、４つの突柱が突出して形成され、各々の前記突柱には、その軸方向に沿って前記スライドパネル１４２を貫通する固定孔１４８が設けられる。
【００１２】
前記取付ラック１６は、矩形の底板１６４と、前記底板１６４の上側辺から前記固定ラック１２に向かって延在する上側壁及び前記底板１６４の両端から前記固定ラック１２に向かって延在する２つの側壁１６６と、を備える。前記底板１６４、前記上側壁及び２つの前記側壁１６６が囲んで収容部１６２を形成する。前記底板１６４の中央部には、底板１６４の短手方向に沿って延在する２つのガイド孔１６４２が設けられる。前記底板１６４の下部において、２つの前記ガイド孔１６４２の両側には、２つの係合シート１６４４が前記固定ラック１２に向かって突出して形成され、各々の前記係合シート１６４４には、貫通孔１６４６が設けられる。前記底板１６４の下側辺の両端から前記固定ラック１２に向かって２つの当止薄板１６８が垂直に延在して形成され、２つの前記当止薄板１６８は互いに離間して設置される。２つの前記側壁１６６から別々に外側に向かって垂直に延在してなる２つの折曲部１６６２には、貫通孔１６６４がそれぞれに設けられる。
【００１３】
本実施形態において、前記弾性部材１７は、その両端にグロメット１７２が形成されたスプリングである。
【００１４】
図５及び図６を参照すると、前記支持モジュール２０は、支持体２２と、接続ラック２４と、２つのシャフト２６と、カバー２９と、を備える。以下の説明では、前記接続ラック２４のうち、前記本体４０に向けられた方向を「前」方向とし、また、その反対方向を「後」方向とする。
【００１５】
前記支持体２２は、略Ｌ字状であり、前記支持体２２の上端の両側には、それぞれ１つの枢着シート２２３が形成され、２つの前記枢着シート２２３には、それぞれ１つの枢着孔２２５が設けられる。
【００１６】
前記接続ラック２４は、収容部２４２を備え、前記収容部２４２は、底壁２４３及び前記底壁２４３の上下両側辺から別々に後方に向かって垂直に延在して形成される上側壁２４４及び下側壁２４６を備える。前記上側壁２４４の後側辺から上方に向かって第一固定板２４４２及び前記第一固定板２４４２の両側に位置する２つの係合部２４７が垂直に突出して形成され、前記第一固定板２４４２には、２つの固定孔２４４６が設けられる。前記下側壁２４６の後側辺から下方に向かって第二固定板２４８が垂直に延在して形成される。前記下側壁２４６の両端から上方に向かって延在してなる２つの枢着板２４６２には、それぞれ１つの枢着孔２４６４が設けられる。前記第二固定板２４８の下部には、２つの係合孔２４８２が設けられる。前記第二固定板２４８の上部には、２つの係合シート２４８４が前方に向かって突出して形成される。前記第二固定板２４８の下側辺から前方に向かって垂直に突出して形成される接続部２４９には、接続孔２４９２が設けられる。
シャフト２６には、ねじりばね２８が装着されている。
【００１７】
前記カバー２９は、前記電子装置の本体４０の収容部４２を覆うために用いられる。前記カバー２９には、貫通孔２９２が設けられる。前記カバー２９の内面における前記貫通孔２９２の上側には、それぞれ２つの突柱２９４が突出して形成され、各々の前記突柱２９４には、その軸方向に沿ってねじ孔が設けられる。前記カバー２９の内面の下部には、２つの係合フック２９６が突出して形成される。
【００１８】
図１〜図４を参照すると、前記取付モジュール１０を組み立てる場合、前記係合部材１４を前記取付ラック１６の収容部１６２に装着して、前記係合部材１４のスライドパネル１４２は、前記取付ラック１６の２つの係合シート１６４４の間に位置し、前記係合部材１４の２つの係合フック１４６は、前記取付ラック１６の２つの当止薄板１６８に当止され、前記係合部材１４の操作部１４７は、前記取付ラック１６の２つの当止薄板１６８の間に位置する。２つの前記弾性部材１７の一端のグロメット１７２を前記係合部材１４のホック１４４に掛け、２つの前記弾性部材１７の他端のグロメット１７２を前記取付ラック１６の係合シート１６４４の貫通孔１６４６に貫通させる。４つの前記第二固定部材１９は、前記取付ラック１６の２つのガイド孔１６４２を貫通して、前記係合部材１４の４つの固定孔１４８に固定されて、前記係合部材１４を上下方向に沿ってスライド可能に前記取付ラック１６内に装着する。前記取付ラック１６を前記固定ラック１２に装着する場合、前記取付ラック１６の折曲部１６６２を前記取付板１２４に貼り合わせると、前記係合部材１４の２つの係合フック１４６は、前記固定ラック１２の２つの挿入孔１２４２を貫通し、前記操作部１４７は、前記固定ラック１２の貫通孔１２６２を貫通する。４つの前記第一固定部材１８は、前記取付ラック１６の４つの貫通孔１６６４を貫通して、前記取付板１２４の４つの固定孔１２４６に固定される。
【００１９】
前記取付モジュール１０を前記本体４０の収容部４２に設置し、４つのねじは、前記固定ラック１２の固定孔１２２６、１２６４を貫通して前記本体４０のねじ孔４２２に螺合して、前記取付モジュール１０を前記本体４０に装着する。
【００２０】
図５及び図６を参照すると、前記支持モジュール２０を組み立てる場合、前記支持体２２の枢着シート２２３が設けられた一端を前記接続ラック２４の収容部２４２に収容する。前記接続ラック２４の枢着孔２４６４、前記支持体２２の枢着孔２２５に２つのシャフト２６を貫通させ、シャフト２６のうち貫通した部分にはねじりばね２８を装着し、且つシャフト２６の貫通した部分にナット２７を螺合し、前記支持体２２を前記接続ラック２４に枢着する。前記支持体２２の、前記枢着シート２２３から離れている一端を、前記カバー２９の貫通孔２９２に貫通させる。前記カバー２９の２つの係合フック２９６を前記接続ラック２４の２つの係合孔２４８２に係合する。２つのねじが、前記接続ラック２４の固定孔２４４６を貫通してから、前記カバー２９の２つの突柱２９４のねじ孔に螺合して、前記接続ラック２４を前記カバー２９の内面に装着する。
【００２１】
図７〜図１０を参照すると、前記支持モジュール２０と前記取付モジュール１０とを組み立てる場合、前記接続ラック２４の２つの係合部２４７を前記固定ラック１２の２つの係合孔１２２８に係合させてから、前記取付モジュール１０に向かって前記支持モジュール２０を推進すると、前記接続ラック２４の収容部２４２は前記固定ラック１２の収容フレーム１２２内に収容され、前記接続ラック２４の２つの接続部２４９は、前記係合部材１４の係合フック１４６のガイド面１４６８を推進して、前記係合部材１４は前記取付ラック１６の２つのガイド孔１６４２に沿って上方に向かってスライドして、２つの前記弾性部材１７は引き伸ばされる。続いて、前記取付モジュール１０に向かって前記支持モジュール２０を推進して、前記係合部材１４の２つの係合フック１４６がちょうど前記接続ラック２４の２つの接続部２４９の接続孔２４９２に対応すると、２つの前記弾性部材１７は弾性復帰して、前記係合部材１４は前記取付ラック１６の２つのガイド孔１６４２に沿って下方に向かってスライドして、前記係合部材１４の２つの係合フック１４６は、前記接続ラック２４の２つの接続部２４９の接続孔２４９２に係合し、前記支持モジュール２０を前記取付モジュール１０に固定する。この時、前記接続ラック２４の２つの係合シート２４８４は、前記固定ラック１２の取付板１２４の２つの係合スロット１２４４に係合する。このようにして、前記支持モジュール２０を前記電子装置に装着する。
【００２２】
前記支持モジュール２０を前記電子装置から取り外して、前記電子装置を壁に掛ける場合、前記係合部材１４の操作部１４７を上方に向かって推進して、前記係合部材１４を上方に向かってスライドさせると、前記弾性部材１７は弾性変形して、前記係合部材１４の２つの係合フック１４６を前記接続ラック２４の２つの接続部２４９の接続孔２４９２から退出させる。この際、前記支持モジュール２０を抜き出すと、前記接続ラック２４の２つの係合シート２４８４は、前記固定ラック１２の取付板１２４の２つの係合スロット１２４４から退出し、前記接続ラック２４の２つの係合部２４７は、前記固定ラック１２の係合孔１２２８から退出して、これにより前記支持モジュール２０を取り外すことができる。この際、前記取付モジュール１０は、前記電子装置の収容部４２内に収容されて、前記電子装置を壁に掛けることに影響しない。本実施形態において、前記支持モジュール２０の２つの前記シャフト２６は、前記接続ラック２４の収容部２４２に収容されているので、占有空間が少なく、前記支持モジュール２０の着脱に影響しない。
【００２３】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２４】
１０  取付モジュール
１２  固定ラック
１４  係合部材
１６  取付ラック
１７  弾性部材
１８  第一固定部材
１９  第二固定部材
２０  支持モジュール
２２  支持体
２４  接続ラック
２６  シャフト
２７  ナット
２８  ねじりばね
２９  カバー
４０  本体
４２，１６２，２４２  収容部
１２２  収容フレーム
１２４  取付板
１２６  固定板
１４２  スライドパネル
１４４  ホック
１４６，２９６  係合フック
１４７  操作部
１４８，１２２６，１２４６，１２６４，２４４６  固定孔
１６４  底板
１６６  側壁
１６８  当止薄板
１７２  グロメット
２２３  枢着シート
２２５，２４６４  枢着孔
２４３  底壁
２４４  上側壁
２４６  下側壁
２４７  係合部
２４８  第二固定板
２４９  接続部
２９２，１２６２，１６４６，１６６４  貫通孔
２９４  突柱
４２２  ねじ孔
１２２２  底板
１２２３  上側板
１２２４  下側板
１２２８，２４８２  係合孔
１２４２  挿入孔
１２４４  係合スロット
１４６８  ガイド面
１６４２  ガイド孔
１６４４，２４８４  係合シート
１６６２  折曲部
２４４２  第一固定板
２４６２  枢着板
２４９２  接続孔
【図１】
2012221492.tif 000003
【図２】
2012221492.tif 000004
【図３】
2012221492.tif 000005
【図４】
2012221492.tif 000006
【図５】
2012221492.tif 000007
【図６】
2012221492.tif 000008
【図７】
2012221492.tif 000009
【図８】
2012221492.tif 000010
【図９】
2012221492.tif 000011
【図１０】
2012221492.tif 000012